(57)【特許請求の範囲】
【請求項１】
投入された硬貨を受入れ、その硬貨を１枚毎に分離して繰出す硬貨繰出部と、
前記硬貨繰出部から繰出された硬貨を、搬送経路に沿って搬送する硬貨搬送部と、
前記硬貨搬送部により搬送された硬貨を鑑別する硬貨鑑別部と、
前記硬貨鑑別部で正常硬貨と鑑別された硬貨を金種に関わらず落下させる正常硬貨落下穴と、
前記正常硬貨落下穴から落下させた正常硬貨を一時保留する筒状の一時保留部と、
装置本体に固定され、前記一時保留部の底面を構成する底板と、
前記一時保留部の前記底板上に集積された正常硬貨を収納する収納庫と、
前記一時保留部の前記底板上に集積された正常硬貨を返却する際の返却箱と、を備え、
前記一時保留部は、前記底板に下部の開口部が閉鎖された原位置と、前記収納庫の開口上に前記下部の開口部を位置させる収納位置と、前記返却箱の開口上に前記下部の開口部を位置させる返却位置とに、移動可能に構成され、
前記収納庫と前記返却箱とが、隣接して配置されていることを特徴とする硬貨入金機。
【請求項２】
請求項１に記載の硬貨入金機において、
前記収納庫と前記返却箱とは、装置本体に着脱可能に装着された収納トレイに、前記収納庫を背面側とし、前記返却箱を正面側として、それぞれ着脱可能に装着されていることを特徴とする硬貨入金機。
【請求項３】
請求項２に記載の硬貨入金機において、
前記収納庫は、その開口を開閉するシャッタを有し、前記収納トレイを前記装置本体から抜出した状態では、前記シャッタが閉鎖されていることを特徴とする硬貨入金機。
【請求項４】
請求項１ないし請求項３のいずれか一項に記載の硬貨入金機において、
前記硬貨繰出部へ硬貨を投入する硬貨入金口に隣接して、前記硬貨入金口との間に隆起部が形成された、投入する硬貨を載置する凹部からなる硬貨置場を設け、
前記硬貨置場は、前記凹部の底面に、前記硬貨入金口の方向に向かうリブと、前記リブの前記隆起部側の端部に前記リブの直交方向に設けられた異物除去リブとを有し、
前記リブの間隔は、隣合うリブの一方の上端と他方の下端とを結ぶ対角線の長さが、取扱う硬貨の中で最小の硬貨直径を有する硬貨の直径未満になる間隔で形成されていることを特徴とする硬貨入金機。
【発明の詳細な説明】
【技術分野】
【０００１】
本発明は、投入された硬貨を計数して一時保留し、一時保留した硬貨を収納もしくは返却することができる硬貨入金機に関する。
【背景技術】
【０００２】
従来の硬貨入金機は、硬貨を金種別に収納する複数の金種別収納部と、往復移動可能に設けられ各金種別収納部へ収納する硬貨を金種別に一時保留する筒状の金種別保留筒と、各金種別保留筒に一時保留された硬貨を金種に関わらず一括して返却する返却箱と、各金種別保留筒の底面を塞ぐ往復移動可能に設けられた底板と、各金種別保留筒に一時保留された硬貨を一括して返却箱に導く返却シュートと、各金種別保留筒に一時保留された硬貨をそれぞれの金種別収納部へ導く金種別シュートと、底板に一体に設けられた金種別シュートの上側の一部を構成する金種別シュート部と、を備え、硬貨投入口に投入された硬貨を硬貨分類通路で金種別に分類して一時保留位置にある金種別保留筒に金種毎に一時保留し、確定後に、一時保留した硬貨を、各金種別保留筒を後方に各底板を前方に移動させて、各金種別シュート部、各金種別シュートを介してそれぞれの金種別収納部に収納し、それぞれの金種別収納部に収納された硬貨は、回収時に、ＩＤ入力手段で担当者情報の入力を受付けたことを条件に、機体に装着した時点で電気的ロック手段によりロックされた各金種別収納部のロックを解除し、各金種別収納部を機体から引出して回収し、返却時は、一時保留した硬貨を各金種別保留筒を前方に各底板を後方に移動させ、返却シュートを介して一括して返却箱へ収納し、機体から返却箱を引出して返却箱へ収納された硬貨を返却している（例えば、特許文献１参照。）。
【先行技術文献】
【特許文献】
【０００３】
【特許文献１】特開平１１−５３５９９号公報（段落００５０−００５３、０１００−０１０８、第１図、第４図）
【発明の概要】
【発明が解決しようとする課題】
【０００４】
しかしながら、上述した従来の技術においては、各金種別保留筒と底板とを往復移動可能に構成し、金種別保留筒に金種毎に一時保留した硬貨を、金種別保留筒と底板とを反対方向に移動させて、金種別シュートまたは返却シュートを介して、各金種別収納部または返却箱に収納しているため、金種別保留筒と底板と金種別収納部を全ての金種（日本では６金種）について設ける必要があり、硬貨入金機の小型化を図ることが困難になるという問題がある。
【０００５】
このような硬貨入金機は、比較的小さな店舗等においても、売上金の計数および保管のために必要であるが、上記特許文献にあるような硬貨入金機では、高額かつ大型であるため、導入コストが高く、設置スペースを要する等の理由で導入が難しく、小型かつ安価な簡易的な硬貨入金機に対する期待が高まってきている。
【０００６】
本発明は、上記の問題点を解決するためになされたもので、硬貨入金機の小型化を図り、安価な硬貨入金機を提供することを目的とする。
【課題を解決するための手段】
【０００７】
本発明は、上記課題を解決するために、硬貨入金機が、投入された硬貨を受入れ、その硬貨を１枚毎に分離して繰出す硬貨繰出部と、前記硬貨繰出部から繰出された硬貨を、搬送経路に沿って搬送する硬貨搬送部と、前記硬貨搬送部により搬送された硬貨を鑑別する硬貨鑑別部と、前記硬貨鑑別部で正常硬貨と鑑別された硬貨を金種に関わらず落下させる正常硬貨落下穴と、前記正常硬貨落下穴から落下させた正常硬貨を一時保留する筒状の一時保留部と、装置本体に固定され、前記一時保留部の底面を構成する底板と、前記一時保留部の前記底板上に集積された正常硬貨を収納する収納庫と、前記一時保留部の前記底板上に集積された正常硬貨を返却する際の返却箱と、を備え、前記一時保留部は、前記底板に下部の開口部が閉鎖された原位置と、前記収納庫の開口上に前記下部の開口部を位置させる収納位置と、前記返却箱の開口上に前記下部の開口部を位置させる返却位置とに、移動可能に構成され、前記収納庫と前記返却箱とが、隣接して配置されていることを特徴とする。
【発明の効果】
【０００８】
これにより、本発明は、硬貨搬送部および一時保留部下の構成を簡素化して硬貨入金機の小型化を図ることができると共に、硬貨入金機の製造コストの低減を図ることができるという効果が得られる。
【図面の簡単な説明】
【０００９】
【図１】実施例の硬貨紙幣入金機の外観を示す説明図
【図２】実施例の硬貨入金機を示すブロック図
【図３】実施例の硬貨入金機の側面から見た構成を示す説明図
【図４】実施例の硬貨入金機の上面から見た構成を示す説明図
【図５】実施例の図３の左側から見た側面の構成を示す説明図
【図６】実施例の硬貨入金機の取込動作を示す説明図
【図７】実施例の硬貨入金機の収納動作を示す説明図
【図８】実施例の硬貨入金機の返却動作を示す説明図
【図９】実施例の硬貨入金機の回収動作を示す説明図
【発明を実施するための形態】
【００１０】
以下に、図面を参照して本発明による硬貨入金機の実施例について説明する。
【実施例】
【００１１】
図１において、１は硬貨紙幣入金機であり、小売業の店舗等に設置され、売上金の紙幣や硬貨Ｃの計数および保管のために用いられる。
【００１２】
２は紙幣入金機であり、図１において右側に配置され、入金時に店舗の管理者や店員等の担当者が、紙幣入金機２の正面側に設けられた紙幣入金口３に投入した紙幣を受入れ、これを鑑別および計数して収納庫に収納する機能を有しており、入金時に偽券、金種不明券と鑑別されたリジェクト紙幣を排出する紙幣リジェクト口４が紙幣入金機２の上面の背面側に設けられている。
【００１３】
５は硬貨入金機であり、図１において左側に配置されて紙幣入金機２に並設されており、入金時に店舗の担当者が投入した硬貨Ｃを受入れ、これを鑑別および計数して一時保留し、一時保留した硬貨Ｃを返却または収納する機能を有している。
【００１４】
以下に説明する硬貨入金機５は、硬貨紙幣入金機１に装着されているものとして説明する。
【００１５】
図２において、６は硬貨入金機５の制御部であり、硬貨入金機５内の各部を制御して硬貨Ｃの入金処理等を実行する機能を有しており、制御基板７（図４参照）に実装されている。
【００１６】
８は硬貨入金機５の記憶部であり、制御基板７に実装されており、制御部６が実行するプログラムやそれに用いる各種のデータおよび制御部６による処理結果等が格納される。
【００１７】
９は操作表示部であり、ＬＣＤ等の表示画面と、テンキーや複数の指示ボタン等からなる入力手段との組合せで構成されており、表示画面に各種の入力画面、担当者の処置を促す画面、処理結果等を表示すると共に、入力手段により担当者からの入力を受付ける機能を有しており、図１に示すように、硬貨紙幣入金機１の上面に設けられている。
【００１８】
１０はカード読取部であり、売上金管理会社等の売上金の回収を行う係員が通過させた係員カードの磁気ストライプ等に記録されている係員カードの所有者を示す係員ＩＤ（係員識別子）等の係員情報を読取る機能等を有しており、図１に示すように、硬貨紙幣入金機１の上面に設けられている。
【００１９】
１１はレシートプリンタ部であり、硬貨紙幣入金機１による入金処理時の入金金額等をレシートに印刷して排出する機能を有しており、図１に示すように、硬貨入金機５の上面の背面側に設けられている。
【００２０】
なお、上記操作表示部８、カード読取部１０、レシートプリンタ部１１は、紙幣入金機の操作表示部８、カード読取部１０、レシートプリンタ部１１としても機能する。
【００２１】
図１において、１３は硬貨入金口であり、円錐面からなるガイド面を有する開口であって（図３参照）、硬貨入金機５の上面の正面側に設けられている。
【００２２】
１４は硬貨置場であり、硬貨Ｃを入金する場合に、入金する硬貨Ｃおよび余剰の硬貨Ｃの置場として利用できるように硬貨入金口１３に隣接して設けられた上面の凹部であって、硬貨入金機５の１回の処理容量（本実施例では５０枚程度）を超える枚数の硬貨Ｃを入金する際、硬貨Ｃを硬貨置場１４の凹部に載置したときに、硬貨入金口１３へ硬貨Ｃが流れて処理容量を超えないように、硬貨入金口１３との間に土手状の隆起部１５が形成されている。
【００２３】
また、硬貨置場１４の凹状の湾曲面（底面という。）には、硬貨入金口１３の方向に向かう複数のリブ１６と、リブ１６の隆起部１５の手前側の端部にリブ１６の直交方向、つまり硬貨入金口１３の円周方向に沿ったリブ１６と同じ高さのＬ字状に設けられた異物除去リブ１７とが設けられている。
【００２４】
このリブ１６の高さは、取扱う硬貨Ｃの中で、最大の硬貨厚さを有する硬貨Ｃ（本実施例では５００円硬貨）の厚さ程度の高さ（本実施例では２ｍｍ程度）に形成され、リブ１６の間の間隔は、隣合うリブ１６の一方の上端と他方の下端とを結ぶ対角線の長さが、取扱う硬貨の中で最小の硬貨直径を有する硬貨の直径（本実施例では１円硬貨（φ２０））未満になる間隔（本実施例では１９ｍｍ程度）に形成されている。
【００２５】
これにより、硬貨置場１４上に載置された１円硬貨は、リブ１６間に挟まることなく硬貨Ｃの計数時に円滑に硬貨入金口１３へ落下させることができると共に、クリップ等の異物をその移動の過程で異物除去リブ１７により除去することが可能になる。
【００２６】
図３において、１９は円盤回転方式の硬貨繰出部であり、硬貨入金口１３から投入された硬貨Ｃを一括して受入れ、これを１枚毎に分離して硬貨搬送部２０へ繰出す機能を有しており、モータ１９ａを駆動源とする駆動機構１９ｂ（図４参照）により回転駆動される円盤を備えている。
【００２７】
硬貨搬送部２０には、図４に示すように、その基台２１上に、基台２１から突出した上面視でＺ字状の突条２２と、その突条２２の上面に対向配置された１本の搬送ベルト２３とが設けられ、この突条２２と搬送ベルト２３とにより硬貨Ｃの搬送経路が形成され、突条２２と搬送ベルト２３に挟持された硬貨Ｃが突条２２の上面上を、硬貨繰出部１９の反対方向に向かって搬送される。
【００２８】
また、硬貨繰出部１９の直近の突条２２上には、受渡ローラ２４が設けられており、硬貨繰出部１９から繰出された硬貨Ｃの間隔を所定のピッチとして搬送ベルト２３へ受渡す機能を有している。
【００２９】
２６は硬貨鑑別部であり（図２参照）、硬貨Ｃの入金処理における取込処理時に、硬貨繰出部１９により１枚毎に分離して硬貨搬送部２０へ繰出された硬貨Ｃの真偽、正損、金種等や、重送、連鎖等の搬送状態の異常等の硬貨Ｃに関する各種の鑑別を行う機能を有しており、図４における図示は省略したが、搬送ベルト２３の硬貨繰出部１９側のプーリの搬送方向の下流側で、リジェクト硬貨落下口２７の上流側に配置されている。
【００３０】
リジェクト硬貨落下穴２７は、図４に示すように、突条２２および基台２１を貫通する矩形の穴であって、取扱う硬貨Ｃの中で、最小直径の硬貨Ｃの直径より狭い幅（硬貨Ｃの搬送方向に直交する方向の長さをいう。）で、最大直径の硬貨Ｃ（本実施例では５００円硬貨）の直径より長い搬送方向の長さを有しており、硬貨鑑別部２６で偽もしくは金種不明と鑑別された硬貨Ｃ、または搬送異常と鑑別された硬貨Ｃ、つまり金種が鑑別された真性の正常硬貨以外のリジェクト硬貨の搬送方向の直交方向の一方の端部の移動を停止させて、その一方の端部をリジェクト硬貨落下穴２７の方向にずらし突条２２による支持を解除して落下させるための、リジェクト硬貨落下穴２７から出没可能に構成されたリジェクトブレード２７ａが設けられている。
【００３１】
２８は正常硬貨落下穴であり、突条２２および基台２１を貫通する矩形の穴であって、最大直径の硬貨Ｃの直径より広い幅と最大直径の硬貨Ｃの直径より長い搬送方向の長さを有しており、硬貨鑑別部２６で正常硬貨と鑑別された硬貨Ｃを金種に関わらずに落下させるための穴である。
【００３２】
本実施例のリジェクト硬貨落下穴２７および正常硬貨落下穴２８は、図４に示すように、リジェクト硬貨落下穴２７を正面側（図３、図４において左側）に、正常硬貨落下穴２８を背面側（図３、図４において右側）にして１本の搬送ベルト２３に沿って直線的に配置されている。
【００３３】
図３において、３０は一時保留部であり、取込処理時に正常硬貨落下穴２８から案内ダクト２８ｂを介して落下した正常硬貨を集積して一時保留する部位である。
【００３４】
本実施例の一時保留部３０は、底板３１と案内ダクト２８ｂとの間に設けられた、上面および底面がない筒状部材であって、落下してきた正常硬貨は、一時保留部３０とは別体として設置された一時保留部３０の底面を構成する底板３１上に集積される。
【００３５】
また、一時保留部３０は、底板３１の上面を摺動し、上面に沿って正面側および背面側に往復移動可能に構成されている。
【００３６】
３３は正常硬貨の収納庫であり、一時保留部３０に集積された硬貨Ｃを、確定後に金種に関わらずに収納する収納庫であって、その上部には、開口３３ａを開閉するシャッタ３４が設けられている。
【００３７】
３５は返却箱であり、上部に開口３５ａを有する上面のない箱状部材であって、一時保留部３０に集積された硬貨Ｃを、返却の際に金種に関わらずに収納して担当者に返却するための収納庫である。
【００３８】
これらの収納庫３３および返却箱３５は、正面側に設けられた硬貨返却口３７（図１参照）から押込、引出可能に構成された収納トレイ３８に、返却箱３５を正面側にして隣接した状態で着脱可能に装着され、硬貨入金機５の下部に配置される。
【００３９】
４０はリジェクト誘導部であり、一時保留部３０の正面側の上部に一体に設けられ一時保留部３０とともに移動するよう構成されており、図５に示すように、リジェクト硬貨落下穴２７から案内ダクト２７ｂを介して落下したリジェクト硬貨を受止め、これをリジェクトシュート４１へ導くための、リジェクトシュート４１側へ向かって下る方向に傾斜した傾斜面４０ａが設けられている。
【００４０】
これにより、リジェクト硬貨落下穴２７から落下してきたリジェクト硬貨は、リジェクト誘導部４０の傾斜面４０ａにより、自重によってリジェクトシュート４１へと導かれ、更にリジェクトシュート４１の傾斜により、硬貨入金機５の正面に設けられた硬貨リジェクト口４２（図１参照）へ払出される。
【００４１】
なお、リジェクトシュート４１は、リジェクト誘導部４０の傾斜面４０ａにより導かれる硬貨Ｃの受入れが可能なように、そのリジェクト誘導部４０側の入口開口部は、リジェクト誘導部４０の出口よりも大きな開口となっている（図５参照）。
【００４２】
４４は電源部であり、外部から供給された電力を、硬貨入金機５および紙幣入金機２の各部に供給する。
【００４３】
本実施例の底板３１は、硬貨入金機５の装置本体に固定されて、収納庫３３の上面に近接する位置に配置されており、その一時保留部３０の背面側の一方の端部は、収納庫３３の開口３３ａの正面側の端部上に位置するように設けられ、その反対側である正面側の他方の端部は、返却箱３５の開口３５ａの背面側の端部上まで延在する位置となるように設けられている。
【００４４】
また、一時保留部３０は、フォトインタラプタ等の位置検出センサ４５（図２参照）による位置検出によって制御部６により３位置で停止すように制御され、常時は、底板３１により下部の開口部が閉鎖された位置（原位置という。図６参照）を位置検出センサ４５ａに検出された状態で停止して正常硬貨落下穴２８から落下する硬貨Ｃを受入れて一時保留し、一時保留された正常硬貨を収納するときは、収納庫３３の開口３３ａ上の収納位置（図７参照）まで背面側へ移動して位置検出センサ４５ｂが検出したときに、下部の開口部を収納庫３３の開口３３ａ上に開口させた状態で停止し、底板３１による閉鎖を開放された下部の開口部から底板３１上の硬貨Ｃを収納庫３３内に落下させて収納し、一時保留された正常硬貨を返却するときは、返却箱３５の開口３５ａ上の返却位置（図８参照）まで正面側へ移動して位置検出センサ４５ｃが検出したときに、下部の開口部を返却箱３５の開口３５ａ上に開口させた状態で停止し、底板３１による閉鎖を開放された下部の開口部から底板３１上の硬貨Ｃを返却箱３５内に落下させて収納するよう制御される。
【００４５】
本実施例の収納トレイ３８は、硬貨入金機５内に押込むときに、装置本体に設けられた図示しない開放キーとの嵌合により、装着された収納庫３３のシャッタ３４が機械的に開放されて一時保留部３０から落下してくる硬貨Ｃの受入れが可能となり、収納トレイ３８を引出すときに、収納庫３３の開口３３ａは開放キーとの嵌合が解除されたシャッタ３４により機械的に閉鎖されて、シャッタ３４と収納庫３３とは図示しない機械式の鍵により施錠され、収納庫３３内の硬貨Ｃに触れることはできない構造になっている（図９参照）。
【００４６】
なお、シャッタ３４と収納庫３３を施錠する機械式の鍵は、売上金管理会社等の管理者等が所持する鍵で解錠される。
【００４７】
収納トレイ３８は、トレイ電磁ロック４７により引出可能状態と引出不可状態を制御できるようになっており、電源部４４の遮断時、停電時を含めてトレイ電磁ロック４７がＯＦＦ状態のときに施錠されて引出不可状態となり、トレイ電磁ロック４７がＯＮ状態のときに解錠されて引出可能状態になるよう制御部６により制御される。
【００４８】
また、収納トレイ３８は、トレイ装着検知センサ４８により装置本体に装着されているか否かが検知できるようになっている。
【００４９】
収納庫３３は、収納トレイ３８の上方から可倒性の把手５０（図９参照）により鉛直に挿入するようにして装着され、収納庫装着検知センサ５２により収納庫３３の存否を検知できるようになっている。
【００５０】
なお、収納庫３３には電磁ロック等による抜取りを制御する機構はない。つまり、収納トレイ３８が引出された状態では、収納庫３３はシャッタ３４が閉鎖された状態まま、常に抜取り可能である。
【００５１】
返却箱３５は、収納トレイ３８の正面側から水平に挿入するようにして装着され、返却箱装着検知センサ５４により返却箱３５の存否を検知できるようになっている。
【００５２】
また、返却箱３５には、返却箱電磁ロック５５が設けられており、電源部４４の遮断時、停電時を含めて、返却箱電磁ロック５５がＯＦＦ状態のときに解錠されて抜取可能状態となり、返却箱電磁ロック５５がＯＮ状態のときに施錠されて抜取不可状態になるよう制御部６により制御される。つまり、前記した収納トレイ３８のトレイ電磁ロック４７とは逆の状態で返却箱電磁ロック５５が制御される。
【００５３】
上記の硬貨入金機５の記憶部８には、投入された硬貨Ｃの搬送や鑑別、一時保留部３０への集積、収納庫３３への収納等により正常硬貨の取込処理や収納処理、取込まれた硬貨Ｃの返却処理等の入金処理や売上金の回収処理等の硬貨処理を実行する機能を有するアプリケーションプログラム等からなる硬貨処理プログラムが予め格納されており、制御部６が実行する硬貨処理プログラムのステップにより本実施例の硬貨入金機５のハードウェアとしての各機能手段が形成される。
【００５４】
また、記憶部８には、収納庫３３に収納されている硬貨Ｃの収納枚数を金種別に計数する収納枚数計数エリアが確保され、入金処理における取込処理において一時保留部３０に集積される硬貨Ｃの集積枚数を金種別に計数する集積枚数計数エリアが確保されている。
【００５５】
以下に、図６ないし図９を用いて、本実施例の硬貨入金機による入金処理および回収処理について説明する。
【００５６】
店舗の担当者が硬貨入金機５へ電源を投入すると、電源部４４から硬貨入金機５の各部へ電力が供給され、硬貨入金機５の記憶部８に格納されている硬貨処理プログラムが自動的に起動される。
【００５７】
硬貨処理プログラムが起動すると、制御部６は硬貨入金機５の各部をイニシャライズし、イニシャライズ完了状態では、一時保留部３０は原位置（図６参照）で位置検出センサ４５ａに検出された状態で待機し、この状態で硬貨Ｃの受入れが可能になる。
【００５８】
この場合に、トレイ装着検知センサ４８が、硬貨入出金機１への収納トレイ３８の装着を検知していなければ入金動作を開始できないように制御され、トレイ電磁ロック４７により収納トレイ３８が施錠されて入金中は引出不可状態になるように制御される。
【００５９】
また、収納庫装着検知センサ５２および返却箱装着検知センサ５４が収納トレイ３８への収納庫３３および返却箱３５の装着を検知していなければ入金動作を開始できないように制御され、入金途中で返却箱３５が抜出された場合は、入金動作を停止させる。
【００６０】
更に、記憶部８の収納庫３３の収納枚数計数エリアの金種別の収納枚数は、前回処理時の状態のまま維持されている。
【００６１】
イニシャライズ完了を認識した制御部６は、硬貨入金口１３から硬貨Ｃが投入されたことを硬貨搬出部１９の図示しない投入監視センサが検出するのを待って待機している。
【００６２】
担当者は、持参した硬貨Ｃを硬貨置場１４上に載せ、１回の処理容量（本実施例では５０枚程度）に該当する程度の枚数の硬貨を、隆起部１５を乗越えさせながら硬貨入金口１３へ移動させて投入する。
【００６３】
一方、制御部６は、投入監視センサが硬貨Ｃの投入を検出すると、担当者による硬貨Ｃの投入の終了を待って待機し、硬貨Ｃの投入終了を検出した後の所定時間の経過後に、硬貨入金口１３から硬貨繰出部１９へ投入された硬貨Ｃの取込処理を開始する。
【００６４】
取込処理を開始した制御部６は、記憶部８の集積枚数計数エリアの金種別のカウント数を「０」にリセットし、硬貨繰出部１９で１枚毎に分離されて繰出された硬貨Ｃを、硬貨搬送部２０の受渡ローラ２４および搬送ベルト２３により硬貨鑑別部２６へ搬送し、硬貨鑑別部２６で、その硬貨の金種、搬送状態等を鑑別し、その鑑別結果を認識する。
【００６５】
鑑別結果を認識した制御部６は、鑑別された硬貨Ｃが正常硬貨以外のリジェクト硬貨の場合は、その硬貨Ｃを担当者に払出すために、硬貨搬送部２０の搬送ベルト２３によって、リジェクト硬貨落下穴２７へ搬送し、リジェクトブレード２７ａを突条２２の上面から突出させて、搬送される硬貨Ｃの一方の端部の移動を停止させてリジェクト硬貨落下穴２７から、その硬貨Ｃを原位置に停止している一時保留部３０のリジェクト誘導部４０の傾斜面４０ａ上に落下させ、傾斜面４０ａにより自重によってリジェクトシュート４１へ導いてリジェクトシュート４１により硬貨リジェクト口４２へ搬送して担当者に払出す。
【００６６】
また、制御部６は、鑑別された硬貨Ｃが正常硬貨の場合は、その硬貨Ｃを返却に備えて一時保留するために、硬貨搬送部２０の搬送ベルト２３により、その硬貨Ｃの両端部を突条２２に支持させてリジェクト硬貨落下穴２７を通過させ、正常硬貨落下穴２８へ搬送して、正常硬貨落下穴２８から原位置に停止している一時保留部３０内へ落下させて底板３１上に金種に関わらず集積する。
【００６７】
このとき、制御部６は、当該硬貨Ｃの金種を基に、記憶部８の集積枚数計数エリアの当該金種のカウント数に「１」を加えて一時保留部３０に集積した金種別の集積枚数をカウントする。
【００６８】
このようにして、図６に示すように、硬貨繰出部１９に投入された全ての硬貨Ｃの一時保留部３０等への取込みを終えると、制御部６は、記憶部８の集積枚数計数エリアでカウントした金種別の集積枚数およびその合計金額等を操作表示部９の表示画面に表示し、担当者の指示ボタンによる「確定」もしくは「返却」の指示入力を待って待機する。
【００６９】
そして、担当者が「確定」の指示入力を行うと、これを受付けた制御部６は、記憶部８の集積枚数計数エリアの金種別の集積枚数およびその合計金額を、記憶部８に保存すると共に、返却箱３５の返却箱電磁ロック５５をＯＮ状態にして施錠し、返却箱３５の抜取りを不可状態にして一時保留部３０を原位置から収納位置ヘ移動させて位置検出センサ４５ｂが一時保留部３０を検出したときに停止させ、一定時間（１〜２秒程度）経過後、一時保留部３０を収納位置から原位置ヘ移動させて位置検出センサ４５ａが一時保留部３０を検出したときに停止させ、その後に、返却箱３５の返却箱電磁ロック５５をＯＦＦ状態にして解錠し、返却箱３５の抜取りを可能にする。
【００７０】
この一時保留部３０の原位置から収納位置ヘの移動、停止によって、図７に示すように、底板３１上に集積された硬貨Ｃは、底板３１の背面側の端部から収納庫３３の開口３３ａを介して収納庫３３内に落下し収納庫３３の底面上に金種に関わらず収納される。
【００７１】
このとき、制御部６は、記憶部８の収納庫３３の収納枚数計数エリアの金種別の収納枚数に、集積枚数計数エリアの金種別の集積枚数をそれぞれ加えて、収納枚数計数エリアの金種別の収納枚数を更新する。
【００７２】
そして、制御部６は、操作表示部９の表示画面に収納終了の旨の文言を表示し、担当者が「継続計数」の指示入力を行った場合は、上記の各動作を繰返し、担当者が「終了」の指示入力を行った場合は、レシートプリンタ部１１によって、収納庫３３に収納されている現在の金種別の収納枚数およびその合計金額および記憶部８に保存した金種別の集積枚数を基に算出した今回収納分の金種別の収納枚数およびその合計金額等を印刷して排出し、今回の入金処理を終了させて新たな硬貨Ｃの投入を待って待機する。
【００７３】
一方、担当者が「返却」の指示入力を行った場合は、制御部６は、その指示入力を受付け、返却箱３５の返却箱電磁ロック５５をＯＮ状態にして施錠し、返却箱３５の抜取りを不可状態にして一時保留部３０を原位置から返却位置ヘ移動させて位置検出センサ４５ｃが一時保留部３０を検出したときに停止させ、一定時間（１〜２秒程度）経過後、一時保留部３０を返却位置から原位置ヘ移動させて位置検出センサ４５ａが一時保留部３０を検出したときに停止させ、その後に、返却箱３５の返却箱電磁ロック５５をＯＦＦ状態にして解錠し、返却箱３５の抜取りを可能にする。担当者は、返却箱３５を硬貨返却口３７から手前へ抜取り、返却箱３５内に収納されている硬貨Ｃの返却を受ける。
【００７４】
この一時保留部３０の原位置から返却位置ヘの移動、停止によって、図８に示すように、底板３１上に集積された硬貨Ｃは、底板３１の正面側の端部から返却箱３５の開口３５ａを介して返却箱３５内に落下し返却箱３５の底面上に金種に関わらず収納される。
【００７５】
このようにして、本実施例の硬貨入出金機１による入金処理が行われる。
【００７６】
上記のようにして、収納庫３３内に金種に関わらず収納された硬貨Ｃを、売上金管理会社等の係員が回収する場合は、係員が所持する係員カードをカード読取部１０を通過させると、制御部６はカード読取部１０によって係員情報を読取り、その係員ＩＤによって当該係員を認証し、係員が操作表示部９の指示ボタンによって「回収」の指示入力を行うと、これを受付けた制御部６は、収納トレイ３８のトレイ電磁ロック４７をＯＮ状態にして解錠し、収納トレイ３８の引出しを可能にする。
【００７７】
係員は、図９に示すように、収納トレイ３８を硬貨返却口３７から引出し、把手５０によって収納庫３３を上方へ引抜くことで売上金の回収を行う。このとき、上記したように収納庫３３のシャッタ３４は閉鎖されているため、収納庫３３内の硬貨Ｃに触れることはできない。
【００７８】
そして、係員は、回収した収納庫３３とは別の空の収納庫３３を収納トレイ３８に装着し、収納トレイ３８を硬貨入金機５内に押込んで装着する。
【００７９】
この収納トレイ３８の装着をトレイ装着検知センサ４８からの出力によって認識した制御部６は、収納トレイ３８のトレイ電磁ロック４７をＯＦＦ状態にして施錠し、収納トレイ３８の引出しを不可状態にする。
【００８０】
また、制御部６は、収納庫３３内に収納されたまま回収された硬貨Ｃの金種別の収納枚数およびその合計金額等をレシートプリンタ部１１によって印刷して排出し、回収処理を終了させる。
【００８１】
このようにして、本実施例の硬貨入出金機１による回収処理が行われる。
【００８２】
上記のように、本実施例によれば、底板３１上で一時保留部３０を往復移動可能に構成すると共に、底板３１の直下に金種に関わらずに硬貨Ｃを収納する収納庫３３と返却箱３５とを着脱可能に配置し、底板の一方の端部を収納庫３３の開口３３ａの上方に配置し、他方の端部を返却箱３５の開口３５ａの上方に延在させるようにし、一時保留部３０を移動させて一時保留部３０の底板上に集積された硬貨Ｃを直接、収納庫３３または返却箱３５に収納するので、金種別シュートや返却シュート、金種別の収納庫等の設置を不要にすることができ、一時保留部３０下の構成を簡素化して硬貨入金機５の小型化を図ることができると共に、安価な硬貨入金機５を提供することができる。
【００８３】
また、リジェクト硬貨誘導部４０を、一時保留部３０の正面側の上部に一体に設けるようにしたので、リジェクト硬貨落下穴２７を正常硬貨落下穴２８の上流側に直線状に配置しても、一時保留部３０の正面側への移動が妨げられることはなく、搬送経路を簡素化して、硬貨入金機５の小型化を図ることができると共に、硬貨入金機５の製造コストの低減を図ることができる。
【００８４】
以上説明したように、本実施例では、硬貨入金機に、投入された硬貨を１枚毎に分離して繰出す硬貨繰出部と、搬送経路に沿って搬送する硬貨搬送部と、搬送された硬貨を鑑別する硬貨鑑別部と、リジェクト硬貨と鑑別された硬貨を落下させるリジェクト硬貨落下穴と、リジェクト硬貨落下穴から落下させたリジェクト硬貨を、硬貨リジェクト口に導くリジェクトシュートと、正常硬貨と鑑別された硬貨を金種に関わらず落下させる、リジェクト硬貨落下穴の搬送方向の下流側に設けられた正常硬貨落下穴と、正常硬貨落下穴から落下させた正常硬貨を一時保留する筒状の一時保留部と、装置本体に固定され一時保留部の底面を構成する底板と、一時保留部の底板上に集積された正常硬貨を収納する収納庫と、正常硬貨を返却する際の返却箱と、一時保留部と一体に設けられ、リジェクト硬貨落下穴から落下させたリジェクト硬貨をリジェクトシュートへ導く傾斜面を有するリジェクト硬貨誘導部とを設け、底板の一方の端部を収納庫の開口上に位置させると共に、他方の端部を返却箱の開口上に位置させ、一時保留部を、底板に下部の開口部が閉鎖された原位置と、収納庫の開口上に下部の開口部を位置させる収納位置と、返却箱の開口上に下部の開口部を位置させる返却位置とに、移動可能に構成するようにしたことによって、硬貨搬送部および一時保留部下の構成を簡素化して硬貨入金機の小型化を図ることができると共に、硬貨入金機の製造コストの低減を図ることができる。
【００８５】
なお、上記実施例においては、返却箱は収納庫の正面側に配置するとして説明したが、収納庫の背面側に配置するようにしてもよい。要は、硬貨入金機の設置環境に応じて適宜、配置すればよい。
【００８６】
また、上記各実施例においては、硬貨入金機は、硬貨紙幣入金機の紙幣入金機に並設されているとして説明したが、硬貨入金機は単独で機能するものであってもよい。この場合には、操作表示部、カード読取部、レシートプリンタ部は、硬貨入金機専用として設置するようにするとよい。
【符号の説明】
【００８７】
１    硬貨紙幣入金機
２    紙幣入金機
３    紙幣入金口
４    紙幣リジェクト口
５    硬貨入金機
６    制御部
７    制御基板
８    記憶部
９    操作表示部
１０  カード読取部
１１  レシートプリンタ部
１３  硬貨入金口
１４  硬貨置場
１５  隆起部
１６  リブ
１７  異物除去リブ
１９  硬貨繰出部
２０  硬貨搬送部
２１  基台
２２  突条
２３  搬送ベルト
２４  受渡ローラ
２６  硬貨鑑別部
２７  リジェクト硬貨落下口
２７ａ  リジェクトブレード
２７ｂ、２８ｂ  案内ダクト
２８  正常硬貨落下穴
３０  一時保留部
３１  底板
３３  収納庫
３３ａ、３５ａ  開口
３４  シャッタ
３５  返却箱
３７  硬貨返却口
３８  収納トレイ
４０  リジェクト誘導部
４０ａ  傾斜面
４１  リジェクトシュート
４２  硬貨リジェクト口
４４  電源部
４５、４５ａ、４５ｂ、４５ｃ  位置検出センサ
４７  トレイ電磁ロック
４８  トレイ装着検知センサ
５０  把手
５２  収納庫装着検知センサ
５４  返却箱装着検知センサ
５５  返却箱電磁ロック
【図１】
0005614123.tif 000002
【図２】
0005614123.tif 000003
【図３】
0005614123.tif 000004
【図４】
0005614123.tif 000005
【図５】
0005614123.tif 000006
【図６】
0005614123.tif 000007
【図７】
0005614123.tif 000008
【図８】
0005614123.tif 000009
【図９】
0005614123.tif 000010